(57)【特許請求の範囲】
【請求項１】
Ａ）芳香族ポリカーボネートおよび／またはポリエステルカーボネート４０〜９９．５重量部、
Ｂ）ポリブタジエンゴムと異なるグラフトベースを有するグラフトポリマー０．５〜６０重量部、
Ｃ）任意の少なくとも１つのハロゲン−フリー難燃剤、
Ｄ）任意のアンチドリップ剤、および
Ｅ）熱安定剤、加水分解安定剤、光安定剤、流動性助剤、加工性助剤、型油剤、離型剤、ＵＶ吸収剤、酸化防止剤、静電防止剤、防腐剤、カップリング剤、染料、顔料、成核剤、発泡剤、他の難燃性添加剤および煤煙削減剤からなる群から選択される、任意の少なくとも１つのさらなるポリマー添加剤
からなる組成物であって、
ポリカーボネートまたはポリエステルカーボネートが、分岐剤であるイサチンビスクレゾールによって分岐した、分岐状ポリマーであることを特徴とする、組成物。
【請求項２】
Ｂが、エマルジョン重合によって製造される粒状形態のグラフトポリマーである、請求項１記載の組成物。
【請求項３】
Ｂが、ＥＰＤＭゴム、シリコンゴム、アクリレートゴムおよびシリコン−アクリレートコンポジットゴムの群から選択されるグラフトベースを有するグラフトポリマーである、請求項２記載の組成物。
【請求項４】
ハロゲン−フリー難燃剤が、リン、シリコン、窒素および硫黄化合物からなる群から選択される、請求項１記載の組成物。
【請求項５】
ハロゲン−フリー難燃剤が、リン酸エステルおよびホスホン酸エステル、ホスファゼン、ホスホロアミデードおよびホスホネートアミンからなる群から選択される、少なくとも１つのハロゲン−フリー、リン−ベース難燃剤である、請求項１記載の組成物。
【請求項６】
一般式：
【化１】
0004398871.tif 000012
［式中、
Ｒ１、Ｒ２、Ｒ３およびＲ４は、互いに独立して、いずれの場合も、Ｃ１〜Ｃ８−アルキル、Ｃ５〜Ｃ６−シクロアルキル、Ｃ６〜Ｃ２０−アリールまたはＣ７〜Ｃ１２−アラルキルを意味し、それぞれアルキルで置換されていてもよく、
ｎは互いに独立して０または１を示し、
ｑは０．５〜３０を意味し、かつ
Ｘは炭素原子６〜３０個を有する単核または多核芳香族基、または炭素原子２〜３０個を有する直鎖状または分岐状脂肪族基を示し、これらはＯＨ−置換されてもよく、８個以下のエーテル結合を含有してもよい。］
で表される少なくとも１つのリン酸エステルまたはホスホン酸エステルを含有する、請求項５記載の組成物。
【請求項７】
Ｘが
【化２】
0004398871.tif 000013
からなる群から選択される、請求項６記載の組成物。
【請求項８】
アンチ−ドリップ剤が、フッ素化ポリオレフィン、シリコンおよびアラミドファイバーの群から選択される、請求項１記載の組成物。
【請求項９】
成形部品の製造のための、請求項１記載の組成物の使用。
【請求項１０】
請求項１記載の組成物を含有する成形部品。
【発明の詳細な説明】
【技術分野】
【０００１】
本発明は、分岐状ポリカーボネートおよびグラフトベースとしてポリブタジエンゴムに基づいていない特定のグラフトポリマーに基づいた耐衝撃性を改良した組成物に関し、それらは化学薬品の影響下で応力亀裂耐性に関して特有の利点を有する。特に、本発明は、ハロゲン−フリーリン化合物によって提供された難燃性を有する前記組成物に関する。
【０００２】
WO 99/57198における成形組成物は、混合物中のフッ素含量が０．１重量％を超えない条件付で、芳香族ポリカーボネート、ゴム−変性グラフトコポリマーおよびリン−含有難燃剤を含有する。直鎖状および分岐状のポリマーは、ともにポリカーボネート成分としてここに記載された組成物中で使用され得る。分岐状タイプの使用に起因する際立った利点、特にブタンジエン-フリーグラフトポリマーとの組み合わせで、は記載されていない。
【０００３】
DE-A 3149812は、分岐剤としてテトラカルボン酸二無水物に基づいた分岐状ポリカーボネートおよびＡＢＳ、ＡＥＳおよびＡＳＡタイプのグラフトポリマーを含有する、改良された加工性を有する熱可塑性成形組成物を開示する。同等のＡＢＳ含有配合物（formulations）と比較したＡＳＡ−およびＡＥＳ−含有組成物の利点については記載されていない。
【０００４】
EP-A 496258は、特定のトリフェノール化合物および他のポリマー成分、例えばスチレン樹脂、ポリアミド、ポリオレフィンおよびラバータイプエラストマーを用いて分岐したポリカーボネートを含有する組成物について開示している。EP-A 496258は、良好な溶融流動性、耐溶媒性および強靭性を有するポリカーボネート組成物を提供することを目的としている。
【０００５】
US-A 5087663およびUS-A 5068285には、良好なブロー−成形および熱形成特性を有する、ＡＢＳまたはＡＳＡポリマーおよびＭＢＳポリマーと混合した直鎖状ポリカーボネートを含有する分岐状ポリカーボネートまたはそれらの混合物について開示している。
【０００６】
JP-A 50109247およびJP-A 58098354には、さらなる成分として液体パラフィンオイルまたは可塑性添加剤を包含するＡＥＳを有するポリカーボネートブレンドについて開示している。分岐状ポリカーボネートの使用による特別な利点は、この特許明細書には記載されていない。
【０００７】
本発明の目的は、化学薬品の影響下での応力亀裂耐性を改良した組成物を提供することである。特に本発明はまた、ハロゲン−フリー難燃性添加物を含有する難燃性組成物に関する。
【０００８】
驚くべきことに、グラフトベースとしてポリブタジエンゴムに基づいてない特別の分岐状ポリカーボネートおよびエマルジョングラフトポリマーからなる成形組成物は、化学薬品の影響下で直鎖状ポリカーボネートを含む比較できる成形組成物より良好な応力亀裂耐性を有することが解った。ポリブタジエンゴム（ＡＢＳ）に基づいた分岐状ポリカーボネートとエマルジョングラフトポリマーとの組成物が化学薬品の影響下で直鎖状ポリカーボネートを含有する組成物と比較してより低い応力亀裂耐性を有することが解ったことは、特に驚くべきことである。
【０００９】
本発明による組成物は、耐候性であり、特に、押出における加工、深絞り成形およびブロー成形プロセスのために、非常に好適である。
【００１０】
本発明は
Ａ）３官能性または４官能性フェノール性分岐剤に基づいた分岐状芳香族ポリカーボネートまたはポリエステルカーボネート（これらはまた、活性官能性基としてアミン官能性を含んでもよく、この場合アミド結合によって分岐が達成される）４０〜９９．５重量部、好ましくは５０〜９９重量部、特に５５〜９８重量部および、
Ｂ）ポリブタジエンゴムと異なるグラフトベースを有するグラフトポリマー、好ましくは粒状のエマルジョングラフトポリマー、０．５〜６０重量部、好ましくは１〜５０重量部、特に２〜４５重量部
を含有する組成物に関する。
【００１１】
好ましい成形組成物は、特にリンベースの化合物に基づく、好ましくは有機リン酸エステル、特にオリゴマー性リン酸エステルに基づく、ハロゲン−フリー難燃剤を含有するものであり、このリン化合物は好ましくはフッ素化ポリオレフィンとの組合せにおいて使用される。
【００１２】
成分Ａ
本発明の成分Ａにより好適な分岐状芳香族ポリカーボネートおよび／または分岐状芳香族ポリエステルカーボネートは文献によって知られているか、文献によって知られている製造方法によって製造してもよい（芳香族ポリカーボネートの製造については、例えば（Schnell、「ポリカーボネートの化学と物理（Chemistry and Physics of Polycarbonates）」、Interscience Publishers、1964年）およびDE-AS 1495626、DE-A 2232877、DE-A 2703376、DE-A 2714544、DE-A 3000610、DE-A 3832396であり、芳香族ポリエステルカーボネートの製造については、例えばDE-A 3077934参照）。
【００１３】
芳香族ポリ（エステル）カーボネートは、例えばジフェノールと炭酸ハライド、好ましくはホスゲン、および／または芳香族ジカルボン酸ジハライド、好ましくはベンゼンジカルボン酸ジハライドとを、界面プロセスによって、要すれば連鎖停止剤、例えばモノフェノールを用い、および３官能または４官能性フェノール性分岐剤を用いて反応することよって製造され、それらはまた、活性官能性基としてアミン官能性物を含んでもよく、この場合アミド結合によって分岐が達成される。例えばトリフェノールまたはテトラフェノールは、好適な分岐剤であり、縮合反応に好適な段階反応性の少なくとも３つの官能性基を含有するフェノール分岐剤はまた好ましい。
【００１４】
イサチンビスクレゾールが分岐剤として特に好ましい。
【００１５】
ポリ（エステル）カーボネート中のジフェノールおよび分岐剤の総量に基づいて分岐剤は０．０１〜５モル％、好ましくは０．０２〜２モル％、特に０．０５〜１モル％、最も好ましくは０．１〜０．５モル％の量で使用される。
【００１６】
本発明による好適な分岐状ポリカーボネートはまた、前述の分岐剤および連鎖停止剤を用いてジフェノール性化合物とジフェニルカーボネートとを反応することによる既知の溶融重合法によっても製造され得る。
【００１７】
分岐状芳香族ポリカーボネートおよび／または芳香族ポリエステルカーボネートの製造のためのジフェノールは、好ましくは式（Ｉ）：
【００１８】
【化１】
0004398871.tif 000002
［式中、Ａは単結合、Ｃ１〜Ｃ５−アルキレン、Ｃ２〜Ｃ５−アルキリデン、Ｃ５〜Ｃ６−シクロアルキリデン、−Ｏ−、−ＳＯ−、−ＣＯ−、−Ｓ−、−ＳＯ２−、Ｃ６〜Ｃ１２−アリーレンであり、それらはさらなる芳香環、要すればヘテロ原子含有芳香環を含み、縮合されていてよく、
または式（II）または（III）で表される基：
【００１９】
【化２】
0004398871.tif 000003
Ｂはいずれの場合も、Ｃ１〜Ｃ１２−アルキル、好ましくはメチル、ハロゲン、好ましくは塩素および／または臭素であり、
Ｘはいずれの場合も互いに独立して０、１または２であり、
ｐは１または０であり、および
Ｒ５およびＲ６は、各Ｘ１に対してそれぞれ選択されてもよく、互いに独立して、水素またはＣ１〜Ｃ６−アルキル、好ましくは水素、メチルまたはエチルを示し、
Ｘ１は炭素を示し、および
ｍは４〜７の整数、好ましくは４または５であるが、少なくとも１つのＸ１原子上で、Ｒ５およびＲ６はともにアルキルである。］
のジフェノールである。
【００２０】
好ましいジフェノ−ルはヒドロキノン、レゾルシノ−ル、ジヒドロキシジフェノ−ル、ビス−（ヒドロキシフェニル）−Ｃ1−Ｃ５−アルカン、ビス−（ヒドロキシフェニル）−Ｃ５−Ｃ６−シクロアルカン、ビス−（ヒドロキシフェニル）エーテル、ビス−（ヒドロキシフェニル）−スルホキシド、ビス−（ヒドロキシフェニル）−ケトン、ビス−（ヒドロキシフェニル）−スルホンおよびα，α−ビス−（ヒドロキシフェニル）−ジイソプロピルベンゼン、およびそれらの環−臭素化および／または環−塩素化した誘導体である。
【００２１】
特に好ましいジフェノールは、４，４’−ジヒドロキシジフェニル、ビスフェノールＡ、２，４−ビス−（４−ヒドロキシフェニル）−２−メチルブタン、１，１−ビス−（４−ヒドロキシフェニル）−シクロヘキサン、１，１−ビス−（４−ヒドロキシフェニル）−３，３，５−トリメチルシクロヘキサン、４，４’−ジヒドロキシジフェニルスルフィド、４，４’−ジヒドロキシジフェニルスルホンおよびそれらのジ−およびテトラ−臭素化または塩素化誘導体、例えば２，２−ビス（３−クロロ−４−ヒドロキシフェニル）−プロパン、２，２−ビス−（３，５−ジクロロ−４−ヒドロキシフェニル）−プロパンまたは２，２−ビス−（３，５−ジブロモ−４−ヒドロキシフェニル）−プロパンである。２，２−ビス−（４−ヒドロキシフェニル）プロパン（ビスフェノールＡ）が特に好ましい。
【００２２】
ジフェノールは単独でまたは所望の混合物で使用され得る。ジフェノールは文献から知られており、文献から知られている方法で得てもよい。
【００２３】
熱可塑性、芳香族分岐状ポリカーボネートの製造に好適な連鎖停止剤は、例えばフェノール、ｐ−クロロフェノール、ｐ−ｔ−ブチルフェノールまたは２，４，６−トリブロモフェノール、並びに長鎖アルキルフェノール、例えばDE-A 2842005による４−（１，３−テトラメチルブチル）−フェノールまたはアルキル置換基に炭素原子の総量８〜２０個を有するモノアルキルフェノールまたはジアルキルフェノール、例えば３，５−ジ−ｔ−ブチルフェノール、ｐ−イソオクチルフェノール、ｐ−ｔ−オクチルフェノール、ｐ−ドデシルフェノールおよび２−（３，５−ジメチルヘプチル）−フェノールおよび４−（３，５−ジメチルヘプチル）−フェノールである。使用される連鎖停止剤の量は、ジフェノールの総モル量に基づいて、通常０．５モル％〜１０モル％である。
【００２４】
上記のモノフェノールに加えて、それらのクロロ炭酸エステルおよび芳香族モノカルボン酸の酸クロリド（要すればＣ１〜Ｃ２２アルキル基またはハロゲン原子で置換されてもよい）並びに脂肪族Ｃ２〜Ｃ２２モノカルボン酸クロリドもまた、芳香族ポリエステルカーボネートの製造のための連鎖停止剤であってよい。
【００２５】
連鎖停止剤の量はいずれの場合も０．１〜１０モル％で、フェノール性連鎖停止剤の場合はジフェノール１モルあたりの量に基づき、かつモノカルボン酸クロリド連鎖停止剤の場合はジカルボン酸ジクロリド１モルあたりの量に基づく。
【００２６】
芳香族ポリエステルカーボネートはまた、結合した芳香族ヒドロキシカルボン酸を含有してもよい。
【００２７】
熱可塑性芳香族ポリエステルカーボネートにおける、カーボネート構造単位の割合は任意に変化し得る。カーボネート基の割合は、好ましくはエステル基およびカーボネート基の総量に対して、１００モル％以下、特に８０モル％以下、最も好ましくは５０モル％以下である。芳香族ポリステルカーボネートのエステル成分およびカーボネート成分は、縮合重合物中でブロック型またはランダムに配置された方法の形態で存在され得る。
【００２８】
熱可塑性、芳香族、分岐状ポリカーボネートおよびポリエステルカーボネートは単独でまたは所望の混合物で使用され得る。
【００２９】
本発明による好適なポリ（エステル）カーボネートの相対溶液粘度（２５℃および濃度０．５ｇ／１００ｍｌでのＣＨ２Ｃｌ２中で測定した）は、１．２０〜１．５０、好ましくは１．２４〜１．４０、特に１．２５〜１．３５である。
【００３０】
成分Ｂ
成分Ｂによるグラフトポリマーのために好適なグラフトベースは、例えばＥＰ（Ｄ）Ｍゴム、すなわちエチレン／プロピレンに基づいて、さらにアクリレート−、ポリウレタン−、シリコン−、エチレン／ビニルアセテートゴムおよびシリコン−アクリレートコンポジットゴムである。
【００３１】
ＥＰＤＭゴム、シリコンゴム、アクリレートゴムおよびシリコン−アクリレートコンポジットゴムは好ましい。
【００３２】
シリコン−アクリレートコンポジットゴムは特に好ましい。
【００３３】
グラフトベースは通常、平均粒径（ｄ５０値）０．０５〜５μｍ、好ましくは０．１〜２μｍ、特に０．１〜１μｍを有する。
【００３４】
平均粒径ｄ５０は、それより上と下にそれぞれ５０重量％の粒子が存在する粒径である。それは超遠心分離器測定を用いて決定され得る（W.Scholtan、H.Lange、Kolloid-ZおよびZ. Polymere250（1972年）、782-1796頁）。
【００３５】
これらのグラフトベースのゲル含量は、好ましくは少なくとも３０重量％、特に少なくとも４０重量％（トルエン中で測定した）である。
【００３６】
ゲル含量は、好適な溶媒中で２５℃で決定した（M. Hoffmann、H. Kroemer、R. Kuhn、Polymeranalytik I und II、Georg Thieme-Verlag、Stuttgart 1977年）。
【００３７】
グラフトベースとして好適なシリコン−アクリレートコンポジットゴムは、ポリオルガノシロキサン成分０〜１００重量％、好ましくは１〜９９重量％、特に１０〜９９重量％、最も好ましくは３０〜９９重量％およびポリアルキル（メタ）アクリレートゴム成分（ゴム成分の総量＝１００重量％）１００〜０重量％、好ましくは９９〜１重量％、特に９０〜１重量％、最も好ましくは７０〜１重量％を含有する。
【００３８】
使用するのに好ましいシリコン−アクリレートゴムは、その製造がJP 08259791-A、JP 07316409-AおよびEP-A 0315035で開示されているものである。それに開示の内容は、本明細書に組み入れられる。
【００３９】
シリコン−アクリレートコンポジットゴムにおけるポリオルガノシロキサン成分は、エマルジョン重合におけるオルガノシロキサンと多官能性架橋剤との反応によって製造され得る。さらに、好適な不飽和オルガノシロキサンを添加することによって、ゴムにグラフト活性サイト（graft-active sites）を挿入させることも可能である。
【００４０】
オルガノシロキサンは一般的に環状であり、環−構造は好ましくはケイ素原子３〜６個を含有する。例えば、ヘキサメチルシクロトリシロキサン、オクタメチルシクロテトラシロキサン、デカメチルシクロペンタシロキサン、ドデカメチルシクロヘキサシロキサン、トリメチルトリフェニルシクロトリシロキサン、テトラメチルテトラフェニルシクロテトラシロキサン、オクタフェニルシクロテトラシロキサン（これらは単独または２以上の化合物の混合物で使用してもよい）が挙げられる。オルガノシロキサン成分は、シリコン−アクリレートゴムのシリコン含有物の構造中に（シリコン−アクリレートゴム中のシリコン含量に対して）、少なくとも５０重量％、好ましくは少なくとも７０重量％の比で包含されるべきである。
【００４１】
３−または４−官能性シラン化合物が、一般的に架橋剤として使用される。特に好ましいこれらの例は：トリメトキシメチルシラン、トリエトキシフェニルシラン、テトラメトキシシラン、テトラエトキシシラン、テトラ−ｎ−プロポキシシラン、テトラブトキシシランである。４官能性分岐剤、特にテトラエトキシシランである。分岐剤の量は一般的に（シリコン−アクリレートゴムのポリオルガノシロキサン成分に対して）、０〜３０重量％である。
【００４２】
以下の構造の１つを有する化合物が、シリコン−アクリレートゴムのポリオルガノシロキサン成分中へグラフト活性サイトを導入するのに好ましく使用される：
【００４３】
【化３】
0004398871.tif 000004
［式中Ｒ５はメチル、エチル、プロピルまたはフェニルを意味し、
Ｒ６は水素またはメチルを意味し、
ｎは０、１または２を意味し、かつ
ｐは１〜６の数を意味する。］
【００４４】
（メタ）アクリロイルオキシシランは構造（ＧＩ  １）の形成に好適な化合物である。好ましい（メタ）アクリロイルオキシシランは、例えば、β−メタクリロイルオキシエチルジメトキシメチルシラン、γ−メタクリロイル−オキシ−プロピルメトキシ−ジメチルシラン、γ−メタクリロイルオキシプロピル−ジメトキシ−メチルシラン、γ−メタクリロイルオキシプロピルトリメトキシ−シラン、γ−メタクリロイルオキシ−プロピル−エトキシジエチル−シラン、γ−メタクリロイルオキシプロピル−ジエトキシメチル−シラン、γ−メタクリロイルオキシ−ブチル−ジエトキシ−メチル−シランが挙げられる。
【００４５】
ビニルシロキサン、特にテトラメチル−テトラビニル−シクロテトラシロキサンは構造ＧＩ−２を形成することができる。
【００４６】
ｐ−ビニルフェニル−ジメトキシメチルシランは、例えば、構造ＧＩ−３を形成することができる。γ−メルカプトプロピルジメトキシ−メチルシラン、γ−メルカプトプロピルメトキシ−ジメチルシラン、γ−メルカプトプロピルジエトキシメチルシラン等は構造（ＧＩ−４）を形成することができる。
【００４７】
これらの化合物の量は、（ポリオルガノシロキサン成分に対して）０〜１０、好ましくは０．５〜５重量％である。
【００４８】
シリコン−アクリレートコンポジットゴムにおけるアクリレート成分は、アルキル（メタ）アクリレート、架橋剤およびグラフト活性モノマーユニットから製造されてもよい。
【００４９】
好ましいアルキル（メタ）アクリレートの例は、アルキルアクリレート、例えば、メチルアクリレート、エチルアクリレート、ｎ−プロピルアクリレート、ｎ−ブチルアクリレート、２−エチルヘキシルアクリレートおよびアルキルメタクリレート、例えば、ヘキシルメタクリレート、２−エチルヘキシルメタクリレート、ｎ−ラウリルメタクリレートが挙げられ、特に好ましくはｎ−ブチルアクリレートである。
【００５０】
多官能性化合物が架橋剤として使用される。これらの例は：エチレングリコールジメタクリレート、プロピレングリコールジメタクリレート、１，３−ブチレングリコールジメタクリレートおよび１，４−ブチレングリコールジメタクリレートである。
【００５１】
例えば、以下の化合物が、グラフト活性サイトの導入のために、単独でまたは混合して使用され得る：アリルメタクリレート、トリアリルシアヌレート、トリアリルイソシアヌレート、アリルメタクリレート。アリルメタクリレートは、架橋剤として作用することもできる。これらの化合物は、シリコン−アクリレートコンポジットゴムにおけるアクリレートゴム成分に対して、０．１〜２０重量％の量で使用される。
【００５２】
本発明による組成物中に好ましく使用されるシリコン−アクリレートコンポジットゴムを製造する方法およびこれらをモノマーとグラフトする方法は、例えばUS-A 4888388、JP 08259791 A2、JP 07316409AおよびEP-A 0315035に開示されている。シリコーン成分とアクリレート成分がコア−シェル構造を形成するシリコン−アクリレートコンポジットゴム、およびアクリレート成分とシリコーン成分が完全に相互貫入（interpenetrate each other）したネットワークを形成する（相互貫入ネットワーク）シリコン−アクリレートコンポジットゴムはともに、グラフトポリマーＢに好適なグラフトベースであり得る。
【００５３】
前述のグラフトベース上でのグラフト重合は、懸濁液、分散液またはエマルジョン中で行われ得る。連続または非連続エマルジョン重合が好ましい。このグラフト重合はラジカル開始剤（例えば、パーオキサイド、アゾ化合物、ヒドロペルオキサイド、ペルスルフェート、ペルホスフェート）とともに、要すればアニオン性乳化剤、例えば、カルボキソニウム塩、スルホン酸塩または有機スルフェートを用いて行われる。これは高いグラフト率を有するグラフトポリマーを形成する。即ち、グラフトモノマーのポリマーの大きな部分が、化学的にゴムに結合されるものである。
【００５４】
ビニル芳香族および／または核−置換ビニル芳香族（例えばスチレン、α−メチルスチレン、ｐ−メチルスチレン、ｐ−クロロスチレン）および／または（メタ）アクリル酸−（Ｃ１−Ｃ８）−アルキルエステル（例えばメチルメタクリレート、エチルメタクリレート）５０〜９９重量部および
ビニルシアニド（不飽和ニトリル、例えばアクリロニトリルおよびメタクリロニトリル）および／または（メタ）アクリル酸−（Ｃ１−Ｃ８）−アルキルエステル（例えば、メチルメタクリレート、ｎ−ブチルアクリレート、ｔ−ブチルアクリレート）および／または不飽和カルボン酸の誘導体（例えば無水物およびイミド）（例えば、無水マレイン酸およびＮ−フェニルマレイミド）１〜５０重量部
の混合物がグラフトポリマーＢのグラフトシェルの形成に好ましく使用される。
【００５５】
好ましいモノマーは、スチレン、α−メチルスチレン、メチルメタクリレート、アクリロニトリルおよび無水マレイン酸である。スチレンとアクリロニトリル、並びにメチルメタクリレートとの混合物は、グラフト化するためのモノマーとして特に好ましい。
【００５６】
成分Ｂはフリー（free）の、すなわち要すれば核−置換ビニル芳香族、（メタ）アクリル酸−（Ｃ１−Ｃ８）−アルキルエステル、ビニルシアニドおよび／または不飽和カルボン酸の誘導体の非グラフト化（コ）ポリマーを含有し得る。それはそれ自身のグラフト化反応の間、または分離（separate）重合段階で製造され、グラフト重合の生成物と混合されるのどちらかで形成され、この混合はプレコンパウンド段階か、組成物全体の配合の間のどちらかに行われる。
【００５７】
成分Ｃ
本発明によるポリマー組成物は、ハロゲン−フリー難燃剤を備えてもよい。リン、シリコン、窒素および／または硫黄化合物に基づいた難燃剤は、このために特に好適である。
【００５８】
リン化合物は難燃剤、特にリン酸エステルおよびホスホン酸エステル、ホスファゼン、ホスホロアミデートおよびホスホネートアミンとして好ましい。
【００５９】
式（IV）：
【００６０】
【化４】
0004398871.tif 000005
［式中、
Ｒ１、Ｒ２、Ｒ３およびＲ４は、互いに独立して、いずれの場合も、Ｃ１〜Ｃ８−アルキル、Ｃ５〜Ｃ６−シクロアルキル、Ｃ６〜Ｃ２０アリールまたはＣ７〜Ｃ１２−アラルキルを意味し、要すればいずれの場合もアルキル、好ましくはＣ１〜Ｃ４−アルキルで置換されていてもよく、
ｎは互いに独立して０または１を示し、
ｑは０．５〜３０を意味し、かつ
Ｘは６〜３０個の炭素原子を有する単核または多核芳香族基、または２〜３０個の炭素原子を有する直鎖状または分岐状脂肪族基を意味し、これらはＯＨ−置換されてもよく、８個以下のエーテル結合を含有してもよい。］
を有するオリゴマー化リン酸またはホスホン酸エステルがＦＲ添加剤として特に好ましい。
【００６１】
Ｒ１、Ｒ２、Ｒ３およびＲ４は互いに独立して、好ましくはＣ１〜Ｃ４−アルキル、フェニル、ナフチルまたはフェニル−Ｃ１−Ｃ４−アルキルを表す。芳香族基Ｒ１、Ｒ２、Ｒ３およびＲ４はそれら自身、アルキル基、好ましくはＣ１〜Ｃ４−アルキルで置換され得る。特に好ましいアリール基は、クレシル、フェニル、キシレニル、プロピルフェニルまたはブチルフェニルである。
【００６２】
好ましくは式（IV）でＸは６〜３０個の炭素原子を有する単核または多核芳香族基を示す。これは好ましくは、式（Ｉ）のジフェノールから誘導される。
【００６３】
式（IV）のｎは互いに独立して０または１であってもよく、ｎは好ましくは１である。
【００６４】
ｑは０．５〜３０、好ましくは０．８〜１５、特に好ましくは１〜５、特に１〜２の値を示す。
【００６５】
Ｘは好ましくは、
【００６６】
【化５】
0004398871.tif 000006
を示し、特にＸはレゾルシノール、ヒドロキノン、ビスフェノールＡまたはジフェニルフェノールから誘導される。Ｘは、特に好ましくはビスフェノールＡから誘導される。
【００６７】
その他の好ましいリン含有化合物は式（IVa）： 
【００６８】
【化６】
0004398871.tif 000007
［式中、Ｒ１、Ｒ２、Ｒ３、Ｒ４、ｎおよびｑは式（IV）と同意義であり、
ｍは互いに独立して０、１、２、３または４を示し、
Ｒ５およびＲ６は互いに独立して、Ｃ１〜Ｃ４−アルキル、好ましくはメチルまたはエチルを示し、かつ
Ｙは、Ｃ１〜Ｃ７−アルキリデン、Ｃ１〜Ｃ７−アルキレン、Ｃ５〜Ｃ１２−シクロアルキレン、Ｃ５〜Ｃ１２−シクロアルキリデン、−Ｏ−、−Ｓ−、−ＳＯ２−または−ＣＯ−、好ましくはイソプロピリデンまたはメチレンを示す。］
を有する化合物である。
【００６９】
【化７】
0004398871.tif 000008
［ここでｑ＝１〜２は特に好ましい。］
【００７０】
成分Ｃによるリン化合物は既知であり（例えば、EP-A 0363608、EP-A 0640655）、既知の方法（例えば、「Ullmanns Enzyklopaedie der technischen Chemie」、第18巻、第301頁以下、1979年、Houben-Weyl、「Methoden der organischen Chemie」、第12/1巻、第43頁、「Beilstein」第6巻、第177頁参照）と同様に製造され得る。
【００７１】
平均ｑ値は、好適な方法（ガスクロマトグラフィー（ＧＣ）、高圧液体クロマトグラフィー（ＨＰＬＣ）、ゲル浸透クロマトグラフィー（ＧＰＣ））によってホスフェート混合物の組成（分子量分布）を測定し、これらからｑの平均値を計算することによって同定され得る。
【００７２】
成分Ｃによる難燃剤は一般的に（Ａ＋Ｂ１００重量部に対して）４０重量％以下、好ましくは３０重量％以下、特に２５重量％以下の量で使用される。
【００７３】
成分Ｄ
成分Ｃによる難燃剤はしばしば、いわゆるアンチドリップ剤（antidripping agents）と組合せて使用され、それらは火災時に燃焼する液滴を生じる材料の傾向を低減するものである。フッ素化ポリオレフィン、シリコン、およびアラミドファイバーを含有する物質群からの化合物がここに例示される。これらはまた、発明による組成物で使用され得る。フッ素化ポリオレフィンは、アンチドリップ剤として好ましい。
【００７４】
フッ素化ポリオレフィンは知られており、例えばEP-A 0640655に開示されている。これらは例えば、デュポン社によって商品名テフロン（登録商標）30Nで市販されている。
【００７５】
フッ素化ポリオレフィンは純粋な形態で使用することもでき、またはフッ素化ポリオレフィンのエマルジョンと成分Ｂによるグラフトポリマーのエマルジョンまたはビニルモノマーベース（特にスチレン／アクリロニトリルまたはメチルメタクリレートに基づく）の（コ）ポリマーのエマルジョンとの凝固混合物の形態で使用することができ、このフッ素化ポリオレフィンをエマルジョンとしてグラフトポリマーまたはコポリマーのエマルジョンと混合し、次いで凝固させる。
【００７６】
さらにフッ素化ポリオレフィンは、グラフトポリマー成分Ｂまたはコポリマー（好ましくはビニルモノマーベース）とのプレコンパウンドとして用いることができる。フッ素化ポリオレフィンを、粉末として、グラフトポリマーまたはコポリマーの粉末または顆粒とともに混合し、一般的に２００〜３３０℃の温度で、常套の装置、例えば、インターナルニーダー、押出成形機または二軸押出機中で溶融コンパウンドする。
【００７７】
フッ素化ポリオレフィンはまた、フッ素化ポリオレフィンの水性分散体の存在における、少なくとも１つのモノエチレン性不飽和モノマーのエマルジョン重合によって製造されたマスターバッチの形態で使用され得る。好ましいモノマー成分は、スチレン、アクリロニトリル、メチルメタクリレートおよびそれらの混合物である。ポリマーは、酸沈殿（acid precipitation）させ、乾燥させた後、流動性粉末として使用される。
【００７８】
凝固、プレコンパウンドおよびマスターバッチは、一般的にフッ素化ポリオレフィンの固形分５〜９５重量％、好ましくは７〜８０重量％を含有する。
【００７９】
フッ素化ポリオレフィンは一般的に、Ａ＋Ｂ１００重量部に対して、２重量％以下、好ましくは１重量％以下、特に０．５重量％の濃度で用いられ、これらの量は凝固物、プレコンパウンドまたはマスターバッチを使用する時に、純粋なフッ素化ポリオレフィンに対するものである。
【００８０】
成分Ｅ（別の添加剤）
本発明による組成物はさらに、別のポリマー類および／または常套のポリマー添加剤（Ａ＋Ｂ１００重量部に対して）５０重量％以下、好ましくは３０重量％以下、特に１５重量％以下で含有してもよい。
【００８１】
他のポリマーの例は、特にポリエステル、好ましくは芳香族ポリエステル、特にポリエチレンテレフタレートおよびポリブチレンテレフタレート、並びに火災時に安定なカーボンレイヤー（carbon layer）の形成を促進することによって相乗効果を有し得るポリマー化合物である。これらは好ましくはポリフェニレンオキシドおよびスルフィド、エポキシドおよびフェノール性樹脂、ノボラックおよびポリエーテルである。
【００８２】
使用できる可能なポリマー添加剤は、熱安定剤、加水分解安定剤、光安定剤、流動性−および加工性助剤、型油および離型剤、ＵＶ吸収剤、酸化防止剤、静電防止剤、防腐剤、カップリング剤、ファイバー−、薄膜−または粒子状フィラーおよび強化剤（例えば、ガラスファイバー、カーボンファイバー、タルク、ウォレストナイトおよびナノスケール無機材料）、染料、顔料、成核剤、発泡剤、他の難燃性添加剤および煤煙−削減剤（smoke-reducing agent）および上記添加剤の混合物が挙げられる。
【００８３】
本発明による組成物は、種々の成分を既知の方法で混合し、２００℃〜３００℃の温度で、常套の装置、例えば、インターナルニーダー、押出成形機または二軸押出成形機中で、溶融コンパウンドおよび溶融押出することによって製造される。
【００８４】
個々の成分は、既知の方法で、連続的にまたは同時に、かつ約２０℃（室温）でまたはより高温で混合してもよい。
【００８５】
本発明による組成物は、種々の成形部品の製造に用いられ得る。これらは例えば、射出成形、押出成形およびブロー成形法によって製造され得る。さらなる製造の形態は、予め製造されたシートまたはフィルムからの深絞り成形による成形体の製造である。
【００８６】
本発明による組成物は、押出、ブロー成形および深絞り成形に特に好適である。
【００８７】
したがって本発明はまた、組成物の製造方法および成形部品の製造のためのその使用、並びに成形部品それ自体を提供する。
【００８８】
そのような成形部品の例は、シート、プロファイル、すべてのタイプのハウジング部品、例えば、家電用、例えば、ジューサー、コーヒーマシン、フードミキサー；オフィス装置用、例えば、モニター、プリンター、複写機；またシート、チューブ、電気導入（installations）ダクト、建物、内装および外部用途用のプロファイル；電気装置領域用の部品、例えば、スイッチおよびプラグ、および内外自動車部品である。
【００８９】
本発明による組成物は、以下の成形部品を製造するのに使用され得る、例えば：列車、船、飛行機、バスおよび自動車用の内部要素、ハブキャップ、小さい変圧器を有する電気装置用のハウジング、情報処理および通信のために使用される装置用のハウジング、医療目的のケース（cases）およびライニング（linings）ハウジング、マッサージ装置およびそのためのハウジング、子供用おもちゃの自動車、シート状のウォールエレメント（wall elements）、安全装置用のケース、リアスポイラー、自動車本体部品、断熱輸送コンテナ、小動物を捕獲または飼育するための装置、洗面所および浴室用成形部品、換気口用のカバー格子、庭の納屋および道具格納庫用の成形部品、ガーデニング用品用のケースが挙げられる。
【００９０】
以下の実施例は本発明をより詳細に説明するものである。
【実施例】
【００９１】
実施例
表１に示し、以下に簡単に説明した成分をZSK-25で、２６０℃で溶融コンパウンドした。試験体をArburg 270E射出成形機で２６０℃製造した。
【００９２】
成分
成分Ａ１
ビスフェノールＡおよびイサチンビスクレゾールの総量に対してイサチンビスクレゾール０．３モル％を用いて分岐した相対溶液粘度（２５℃および濃度０．５ｇ／１００ｍｌの溶媒としてＣＨ２Ｃｌ２中で測定した）ηrel＝１．３１を有するビスフェノールＡに基づく分岐状ポリカーボネート。
【００９３】
成分Ａ２
相対溶液粘度（２５℃および濃度０．５ｇ／１００ｍｌの溶媒としてＣＨ２Ｃｌ２中で測定した）ηrel＝１．３１を有するビスフェノールＡに基づいた直鎖状ポリカーボネート。
【００９４】
成分Ａ３
相対溶液粘度（２５℃および濃度０．５ｇ／１００ｍｌの溶媒としてＣＨ２Ｃｌ２中で測定した）ηrel＝１．２８を有する、ビスフェノールＡおよびイサチンビスクレゾールの総量に対して、イサチンビスクレゾール０．３モル％を用いて分岐したビスフェノールＡに基づいた分岐状ポリカーボネート。
【００９５】
成分Ａ４
相対溶液粘度（２５℃および濃度０．５ｇ／１００ｍｌの溶媒としてＣＨ２Ｃｌ２中で測定した）ηrel＝１．２８を有するビスフェノールＡに基づいた直鎖状ポリカーボネート。
【００９６】
成分Ｂ１
エマルジョン重合により製造した架橋ポリブタジエンゴム６０重量部においてスチレン／アクリロニトリルの比が７３：２７のコポリマー４０重量部からなるグラフトポリマー（平均粒径ｄ５０＝０．３μｍ）。
【００９７】
成分Ｂ２
Blendex（登録商標）WX270：スチレンとアクリロニトリルでグラフト化したＥＰＤＭゴム（UMG ABS Ltd.、日本国、東京製）。
【００９８】
成分Ｂ３
Metablen（登録商標）S2001、メチルメタクリレートでグラフト化したシリコン−ブチルアクリレートコンポジットゴム（三菱レイヨン株式会社、日本国、東京製）。
【００９９】
成分Ｂ４
スチレン／アクリロニトリルの重量比が７２：２８および固有粘度（２０℃でジメチルホルムアミドで測定した）０．５５ｄｌ／ｇであるスチレン／アクリロニトリルコポリマー。
【０１００】
成分Ｃ
ビスフェノールＡ−ベースのオリゴホスフェート
【０１０１】
【化８】
0004398871.tif 000009
【０１０２】
成分Ｄ１
水中の上記成分Ｂ１によるＳＡＮグラフトポリマーエマルジョンと水中のテトラフルオロエチレンポリマーエマルジョンとの凝固混合物としてテトラフルオロエチレンポリマー。混合物中のグラフトポリマーＢ１／テトラフルオロエチレンポリマーの重量比は９０重量％／１０重量％である。テトラフルオロエチレンポリマーエマルジョンは固形分含量６０重量％、平均粒径０．０５〜０．５μｍを有する。ＳＡＮグラフトポリマーエマルジョンは固形分含量３４重量％および平均粒径ｄ５０＝０．３μｍを有する。
【０１０３】
テトラフルオロエチレンポリマー（Teflon（登録商標）30N）のエマルジョンをＳＡＮグラフトポリマーのエマルジョンと混合し、フェノール性酸化防止剤（anti-oxidants）のポリマー固形分に対して１．８重量％で安定化した。混合物をＭｇＳＯ４（エプソム塩）の水性溶液およびｐＨ４〜５の酢酸を用いて８５〜９５℃で凝固し、ろ過および洗浄して電解質を実質的にすべて除去した；次いで大部分の水を遠心分離によって除去し、混合物をパウダー状になるまで１００℃で乾燥した。
【０１０４】
成分Ｄ２
Blendex（登録商標）：スチレン−アクリロニトリルコポリマー５０重量％およびＰＴＦＥ５０重量％を含有するテフロンマスターバッチ（GE Specialty Chemicals、ベルヘン・オフ・ゾーム（オランダ））。
【０１０５】
成分Ｅ１／Ｅ２
型油／離型剤としてペンタエリスリトールテトラステアレート（Ｅ１）
ホスフィット安定剤（Ｅ２）。
【０１０６】
化学薬品の影響下での応力亀裂特性（ＥＳＣ特性）を、ISO 4599による８０ｍｍ×１０ｍｍ×４ｍｍの試験片で試験した。難燃性組成物のために、トルエン６０体積％とイソプロパノール４０体積％との混合物を試験媒体として使用した。この混合物を、積極的（aggressive）洗浄剤／脱脂剤のモデルとして提供する。非難燃性組成物のために、イソオクタン５０体積％とトルエン５０体積％との混合物を使用した。この混合物をガソリンのモデルとして提供する。試験体を弓型の治具を用いてプレストレイン（pre-strained）し、プレストレインの関数として、各々の溶媒中での破断時間を測定した。５分以内に破断が起こる最小のプレストレインが測定された。
【０１０７】
燃焼特性を１２７ｍｍ×１２．７ｍｍ×１．５ｍｍの測定用試験片においてUL-Subj. 94Vで測定した。
【０１０８】
本発明による組成物、またはそれらから得られた試験片の特性の概要を表１および表２に示す。
【０１０９】
【表１】
0004398871.tif 000010
【０１１０】
【表２】
0004398871.tif 000011
【０１１１】
表１および表２における実施例および比較例は、組成物が難燃剤を含有するかどうかにかかわらず、分岐状ポリカーボネートに基づくブタジエン−フリーグラフトポリマーを含有するポリカーボネート組成物が、同一の溶液粘度の直鎖状ポリカーボネートを含有する同等の組成物よりも良好なＥＳＣ特性を有することを示す。ポリブタジエンゴム−ベースのグラフトポリマーを含有するＰＣ＋ＡＢＳ組成物を用いると逆の特性が観測される。すなわち、ＥＳＣ特性はここでは直鎖状ポリカーボネートを用いるときにより良好である（Ｖ１とＶ２を比較）。